(57)【特許請求の範囲】
【請求項１】
展開状態における前腹部と後背部との間の股部の両側に脚穴部が形成されると共に、前腹部と後背部にウェストギャザー用弾性糸とボディフィットギャザー用弾性糸とが伸長状態で接合され、脚穴部の回りにレッグギャザー用弾性糸が伸長状態で接合されて、股部を中心にして前腹部と後背部とが重ね合わされて、前腹部と後背部の両端部同士が接合されてなる使い捨てパンツであって、
上記接合両端部の弾性糸の端部は、内側が横棒型のサイド接合パターンで溶着されると共に、縦方向に連続する外側の弾性糸止めパターンで押さえ付けて溶着されており、且つ、
前記内側サイド接合パターンと外側弾性糸止めパターンとが、互いに接触または交差することなく離間して設けられていることを特徴とする使い捨てパンツ。
【請求項２】
上記外側弾性糸止めパターンが斜め線型である請求項１に記載の使い捨てパンツ。
【発明の詳細な説明】
【０００１】
【発明の属する技術分野】
本発明は、風合いが柔軟になって着用感が向上する使い捨てパンツに関する。
【０００２】
【従来の技術】
従来、使い捨てパンツとしては、不織布等によって、展開状態における前腹部と後背部との間の股部の両側に脚穴部が形成されると共に、前腹部と後背部にウェストギャザー用弾性糸とボディフイットギャザー用弾性糸とが伸長状態で接合され、脚穴部の回りにレッグギャザー用弾性糸が伸長状態で接合されて、股部を中心にして前腹部と後背部とが重ね合わされて、前腹部と後背部の両端部同士が接合されてなるものが提案されている。
【０００３】
上記のような使い捨てパンツは、股部の肌面側に吸収体を取付ければ、軽失禁者用のおむつを兼ねる使い捨てパンツとなる。
【０００４】
【発明が解決しようとする課題】
ところで、ウェストギャザー用弾性糸とボディフイットギャザー用弾性糸とレッグギャザー用弾性糸は、不織布等に塗布された（若しくは弾性糸に塗布された）ホットメルト接着剤により伸長状態で不織布等に接着している。このため、弾性糸が収縮力で抜けないように、ホットメルト接着剤を多量に塗布しなければならないので、使い捨てパンツ全体の風合いが硬くなって着用感が損なわれると共に、ホットメルト接着剤の使用量が多くなってコスト高になるという問題があった。
【０００５】
本発明は、上記従来の問題を解決するためになされたもので、風合いが柔軟になって着用感が向上すると共に、コスト安に製造できる使い捨てパンツを提供することを目的とするものである。
【０００６】
【課題を解決するための手段】
上記課題を解決するために、本発明は、展開状態における前腹部と後背部との間の股部の両側に脚穴部が形成されると共に、前腹部と後背部にウェストギャザー用弾性糸とボディフイットギャザー用弾性糸とが伸長状態で接合され、脚穴部の回りにレッグギャザー用弾性糸が伸長状態で接合されて、股部を中心にして前腹部と後背部とが重ね合わされて、前腹部と後背部の両端部同士が接合されてなる使い捨てパンツであって、
上記接合両端部の弾性糸の端部は、縦方向に連続する弾性糸止めパターンで押さえ付けて接合されていることを特徴とする使い捨てパンツを提供するものである。
【０００７】
本発明によれば、前腹部と後背部の接合両端部の弾性糸の端部を、縦方向に連続する弾性糸止めパターンで押さえ付けて接合しているから、弾性糸の端部の全てが弾性糸止めパターンによって、弾性糸が収縮力で抜けないように押さえ付けて接合されるようになる。
【０００８】
請求項２のように、上記接合両端部の内側が横棒型のサイド接合パターンで接合されると共に、外側が縦方向に連続する弾性糸止めパターンで接合されている構成とすることができる。なお、外側の弾性糸止めパターンのみでも両端部の接合は可能である。
【０００９】
請求項３のように、上記弾性糸止めパターンは、Ｓ字連続型、縦線型、斜め線型、模様連続型のいずれかを選択することができる。
【００１０】
【発明の実施の形態】
以下、本発明の実施の形態を図面を参照して詳細に説明する。
【００１１】
図１（ａ）は使い捨てパンツ２の前面図、（ｂ）は（ａ）のＡ−Ａ線拡大断面図、（ｃ）は（ａ）の接合端部の拡大図である。なお、図１（ａ）は、後述する各弾性糸７，８，９が伸長状態であるときの図であって、実際には、各弾性糸７〜９の収縮により使い捨てパンツ２にギャザーが形成されて立体的に収縮するようになる。
【００１２】
上記使い捨てパンツ２は、図３に示すように、基本的には、外面側の透液性シート状体３と、肌面側の透液性シート状体４と、単体の吸収体５と、一対のエンド押さえシート状体６と、各弾性糸７，８，９とで製造される。
【００１３】
上記外面側の透液性シート状体３は、肌ざわりの良い合成繊維製不織布等であり、図４に示すように、長さ方向Ｌに延在して、使い捨てパンツ２の前腹部２Ａと後背部２Ｂと股部２Ｃとが展開状態で、透液性シート状体３の長さ方向に横並びで型取りされるようにその幅が設定されている。
【００１４】
具体的には、透液性シート状体３の長さ方向Ｌに対して、展開状態の前腹部２Ａと股部２Ｃと後背部２Ｂとの横幅に相当するピッチＰを設定し、このピッチＰ毎に、後述する図７の工程で幅方向の両断線Ｋで両断することにより、長さ方向Ｌに連続製造された使い捨てパンツ２が切り離されるようにする。なお、上記透液性シート３の幅方向の両側には、折り返し線ｒ（二点鎖線参照）で内向きに折り返すための折り返し部３ａが形成されている。
【００１５】
上記透液性シート状体３には、幅方向の中心線Ｇと各両断線Ｋとの交点Ｈを中心とする横長楕円形状の脚穴部２Ｄがそれぞれ形成されている。
【００１６】
上記透液性シート３の前腹部２Ａと後背部２Ｂの各ウェスト位置には、複数本のウェスト用弾性糸７が長さ方向に伸長状態でそれぞれ間欠接着され、各ボディ位置には、複数本のボディフイット用弾性糸９が長さ方向に伸長状態でそれぞれ間欠接着されると共に、脚穴部２Ｄの回りには、複数本のレッグ用弾性糸８が伸長状態でそれぞれ間欠接着される。
【００１７】
上記脚穴部２Ｄの回りのレッグ用弾性糸８は、図４の上側のレッグ用弾性糸８が股部２Ｃにおける幅方向の中心線Ｇを越えないでＵターンしながら蛇行状態で間欠接着されると共に、下側のレッグ用弾性糸８も股部２Ｃにおける幅方向の中心線Ｇを越えないでＵターンしながら蛇行状態で間欠接着されるようになる。なお、股部２Ｃに間欠接着された各レッグ用弾性糸８は、左右の脚穴部２Ｄを切り離すためにカットしても良い。
【００１８】
上記ウェスト用弾性糸７、レッグ用弾性糸８及びボディフイット用弾性糸９は、帯状や糸状の天然ゴム又は合成ゴムであり、各弾性糸７〜９の収縮力でウェスト用ギャザー、レッグ用ギャザー及びボディフイット用ギャザーが自然に形成されるようになる。
【００１９】
上記肌面側の透液性シート状体４は、合成繊維不織布等であり、図５に示すように、長さ方向Ｌに延在して、上記外面側の透液性シート状体３と同様に、各脚穴部２Ｄが形成されている。なお、上記透液性シート状体３のような折り返し部３ａは形成されていない。
【００２０】
この肌面側の透液性シート状体４は、外面側の透液性シート状体３の両側の折り返し部３ａの間に位置するように設定して、間欠接着した各弾性糸７〜９の上から被せるようにしながら外面側の透液性シート状体３に溶着又は接着により接合する。
【００２１】
この接合工程の後に、肌面側の透液性シート状体４の股部２Ｃに長方形状の吸収体５を接合する。この吸収体５は、図３に示したように、不透液性のバックシート５ａと透液性のトップシート５ｂとで、パルプ繊維や高吸収性ポリマー等の混合物でなる吸収体コア５ｃをくるんで扁平に成形したものである。なお、上記吸収体５のトップシート５ｂの上面の両側に、横漏れ防止用の立体不織布（カフ）を設けるようにしても良い。
【００２２】
上記一対のエンド押さえシート状体６は、合成繊維製不織布等であり、図３に示したように、長さ方向Ｌに延在して、上記吸収体５の前端部５ｄと後端部５ｅとをそれぞれ押さえるものである。
【００２３】
そして、このエンド押さえシート状体６を上記肌面側の透液性シート状体４の前腹部２Ａと後背部２Ｃとにそれぞれ溶着又は接着で接合した後に、図６に示すように、上記透液性シート状体３の折り返し部３ａを折り返し線ｒでそれぞれ内向きに折り返して、エンド押さえシート状体６にそれぞれ溶着又は接着で接合する。
【００２４】
このような接合工程の後に、図７に示すように、各シート状体３，４の幅方向の中心線Ｇ、つまり、股部２Ｃを中心にして、前腹部２Ａと後背部２Ｂとを重ね合わせて、上記ピッチＰの両断線Ｋの位置にある両端接合（サイドシール）部２ｃを所定の幅で溶着又は接着で接合する。
【００２５】
そして、この接合両端部２ｃを上記両断線Ｋで両断することにより、長さ方向Ｌに連続製造された使い捨てパンツ２は、図１（ａ）に示したように１個づつに切り離されるようになる。
【００２６】
上記接合両端部２ｃの接合に際しては、図１（ｃ）に詳細に示すように、接合両端部２ｃの内側は、従来と同様の横棒型のサイド接合パターン１０で接合する。この横棒型のサイド接合パターン１０は、縦方向に連続していないから、各弾性糸７〜９の端部の全てが弾性糸が収縮力で抜けないように押さえ付けて接合されるとは限らない。
【００２７】
そこで、接合両端部２ｃの外側は、縦方向に連続する弾性糸止めパターン１１（Ａ〜Ｄ）で押さえ付けて接合する。なお、外側の弾性糸止めパターン１１（Ａ〜Ｄ）のみでも両端部の接合は可能であるが、接合の信頼性を向上させるために、内側の横棒型のサイド接合パターン１０の接合と併用するのが好ましい。
【００２８】
上記縦方向に連続する弾性糸止めパターン１１としては、図１（ｃ）に示したような縦方向にオーバーラップしながら連続するＳ字連続型１１（Ａ）の他、図２（ａ）に示すような縦方向にオーバーラップしながら連続する斜め線型１１（Ｂ）、図２（ｂ）に示すような縦線型１１（Ｃ）、図２（ｃ）に示すような縦方向にオーバーラップしながら連続する模様連続型１１（Ｄ）のいずれかを選択することができる。なお、弾性糸止めパターン１１（Ａ〜Ｄ）はこれらの例に限られないことは言うまでもない。
【００２９】
また、図２（ｄ）に示すように、ボディフイットギャザー用弾性糸９の部分だけを弾性糸止めパターン１１で押さえ付けて接合し、ウェストギャザー用弾性糸７の部分とレッグギャザー用弾性糸８の部分は、内側の横棒型のサイド接合パターン１０を外側に延長させて接合するようにしても良い。
【００３０】
上記のように、前腹部２Ａと後背部２Ｂの接合両端部２ｃの各弾性糸７〜９の端部を、内側の横棒型のサイド接合パターン１０による接合と併用して、外側の弾性糸止めパターン１１（Ａ〜Ｄ）で押さえ付けて接合することにより、各弾性糸７〜９の端部の全てが弾性糸止めパターン１１（Ａ〜Ｄ）によって、各弾性糸７〜９が収縮力で抜けないように押さえ付けて接合されるようになる。
【００３１】
これにより、外面側の透液性シート状体３等に接着する各弾性糸７〜９のホットメルト接着剤の塗布量を大幅に減少させることができるから、使い捨てパンツ２の風合いが柔軟になって着用感が向上すると共に、ホットメルト接着剤の使用量も減少してコスト安に製造できるようになる。
【００３２】
上記実施形態は、乳幼児用や大人失禁者用のおむつとなる使い捨てパンツ２であるために、股部２Ｃに吸収体５を接合しているが、おむつではなくて、例えば旅行用の使い捨てパンツとして利用する場合には、吸収体５を接合する必要はない。このように、旅行用の使い捨てパンツとして転用可能であることから汎用性が向上する。
【００３３】
【発明の効果】
以上の説明からも明らかなように、本発明は、前腹部と後背部の接合両端部の弾性糸の端部を、縦方向に連続する弾性糸止めパターンで押さえ付けて接合しているから、弾性糸の端部の全てが弾性糸止めパターンによって、弾性糸が収縮力で抜けないように押さえ付けて接合されるようになるので、不織布等に接着する弾性糸のホットメルト接着剤の塗布量を大幅に減少させることができる。この結果、使い捨てパンツの風合いが柔軟になって着用感が向上すると共に、ホットメルト接着剤の使用量も減少してコスト安に製造できるようになる。
【図面の簡単な説明】
【図１】  本発明の使い捨てパンツであり、（ａ）は前面図、（ｂ）は（ａ）のＡ−Ａ線拡大断面図、（ｃ）は（ａ）の接合両端部の拡大図である。
【図２】  （ａ）〜（ｄ）は、それぞれ弾性糸止めパターンの例を示す接合両端部の拡大図である。
【図３】  使い捨てパンツのパーツの分解斜視図である。
【図４】  外面側の透液性シート状体の平面図である。
【図５】  肌面側の透液性シート状体の平面図である。
【図６】  各シート状体を接合した平面図である。
【図７】  連続製造された使い捨てパンツを切り離す前の平面図である。
【符号の説明】
２    使い捨てパンツ
２Ａ  前腹部
２Ｂ  後背部
２Ｃ  股部
２Ｄ  脚穴部
３    外面側の透液性シート状体
４    肌面側の透液性シート状体
５    吸収体
７，８，９  弾性糸
１０  サイド接合パターン
１１（Ａ〜Ｄ）  弾性糸止めパターン
【図１】
0004246839.tif 000002
【図２】
0004246839.tif 000003
【図３】
0004246839.tif 000004
【図４】
0004246839.tif 000005
【図５】
0004246839.tif 000006
【図６】
0004246839.tif 000007
【図７】
0004246839.tif 000008